(57)【要約】【課題】  顎載せ紙を用いなくとも顎受け台の衛生度を確保できるとともに、簡単に取り外し可能であり、さらに安定して被検者の顎載せを行うことのできる眼科装置を提供する。【解決手段】  被検者の顔を支持固定するための顎受け台を有した眼科装置において、所定の厚みにて折り曲げ可能な材料を用いて形成され、顎受け台の上面形状と略同一形状を有するとともに、顎受け台の側面の少なくとも一部を覆う取り付け片が延設され、顎受け台に脱着可能である顎受け台カバーを有する。【選択図】      図１
2006034858.tif 000002
【特許請求の範囲】
【請求項１】
被検者の顔を支持固定するための顎受け台を有した眼科装置において、前記顎受け台の上面形状と略同一形状を有するとともに前記顎受け台の側面の少なくとも一部を覆う取り付け片が延設され前記顎受け台に脱着可能である顎受け台カバーを有することを特徴とする眼科装置。
【請求項２】
請求項１の眼科装置において、顎受け台カバーの取り付け片の先端は前記顎受け台の縁を越える位置まで延設されているとともに、該顎受け台の縁を巻き込むように形成されていることを特徴とする眼科装置。
【請求項３】
請求項２の顎受け台カバーは、変形可能な材料で形成されていることを特徴とする眼科装置。
【発明の詳細な説明】
【技術分野】
【０００１】
本発明は、顎受け台を有した眼科装置に関する。
【背景技術】
【０００２】
従来、他覚的眼屈折力装置、眼圧計やスリットランプ等、被検眼を観察、測定する眼科装置が知られている。これらの眼科装置は、被検者の顔を支持・固定するために顎受け台を備えているものが多い。従来、このような顎受け台には、顎載せ紙の紙束を取り付けられており、被検者が代わる度に紙を一枚ずつ取り除くことによって、衛生度や清潔感を確保するようにしている（特許文献１参照）。
【特許文献１】特開平８-３８４１７号公報
【発明の開示】
【発明が解決しようとする課題】
【０００３】
しかしながら、このように顎受け台に顎載せ紙の紙束を取り付ける場合、紙の枚数が多いときは顎受け台への顎載せが安定して行われ難いという問題がある。また、顎載せ紙がカバーする範囲は限られてしまうとともに、このような紙束の装着には手間がかかる。
上記従来技術の問題点に鑑み、顎載せ紙を用いなくとも顎受け台の衛生度を確保できるとともに、安定して被検者の顎載せを行うことのできる眼科装置を提供することを技術課題とする。
【課題を解決するための手段】
【０００４】
上記課題を解決するために、本発明は以下のような構成を備えることを特徴とする。
（１）  被検者の顔を支持固定するための顎受け台を有した眼科装置において、前記顎受け台の上面形状と略同一形状を有するとともに前記顎受け台の側面の少なくとも一部を覆う取り付け片が延設され前記顎受け台に脱着可能である顎受け台カバーを有することを特徴とする。
（２）  （１）の眼科装置において、顎受け台カバーの取り付け片の先端は前記顎受け台の縁を越える位置まで延設されているとともに、該顎受け台の縁を巻き込むように形成されていることを特徴とする。
（３）  （２）の顎受け台カバーは、変形可能な材料で形成されていることを特徴とする。
【発明の効果】
【０００５】
本発明によれば、顎載せ紙を用いなくとも顎受け台の衛生度を確保できるとともに、安定して被検者の顎載せを行うことができる。
【発明を実施するための最良の形態】
【０００６】
以下、本発明の実施形態を図面に基づいて説明する。図１は本発明を適用した顎受け台を有するスリットランプ（細隙灯顕微鏡）の外観斜視図である。なお、本実施形態ではスリットランプを用いているが、これに限るものではなく、被検者の顔を支持固定するために顎受け台を必要とする眼科装置であればよい。顎受け台を必要とする眼科装置としては、例えば、他覚的眼屈折力測定装置、眼圧計、眼底カメラ、角膜形状測定装置等が挙げられる。１は装置本体部（スリットランプ）であり、本体部１は、ジョイスティック２の操作により基台３の水平面上を移動する。１０は基台３に固定された顎台支基であり、顎台支基１０には被検者の顔を支持固定するための額当て１１と顎受け台１２が備えられている。顎受け台１２は、回転ノブ１３を回すことにより、顎台支基１０に対して上下動する。なお、図１に示す顎受け台１２は、顎受け台カバー２０が取り付けられた状態で示されている。
また、図２は、顎受け台１２から顎受け台カバー２０を取り外した状態を示している。図示するような顎受け台１２の形状は、被検者の顎を載せたとき、被検者の顔の支持・固定を好適に行うことができるように、例えば略すり鉢型等の、顎の形状を考慮した形状を有している。
【０００７】
図３は、顎受け台２０カバーの詳細を示した図である。なお、図３（ａ）は、顎受け台カバー２０の斜視図であり、図３（ｂ）は、顎受け台カバー２０を側方から見た図、図３（ｃ）は、顎受け台カバー２０の側面断面図である。
図３に示すように、顎受け台カバー２０は、被検者の顎を載せる載置面２１と、載置面２１の端から延びるように形成されている取付片２２〜２４から構成されている。載置面２１は、図２に示すような顎受け台１２の上面形状と略一致する形状を有しており、顎受け台１２に取り付けた際に、顎受け台１２に密着させることができるとともに、顎受け台１２における被検者の顎に当たる面をすべて覆うことができるようになっている。
【０００８】
また、取付片２２は、図３（ａ）に示すように、顎受け台カバー２０の載置面２１の端から延設されるとともに、顎受け台１２の側面に沿って密着するような形状にて形成されており、顎受け台１２に顎受け台カバー２０を取り付けた後、カバーの左右へのズレを抑制する。また、取付片２３は、載置面２１の端から延びるように形成されているとともに、図３（ｃ）に示すように、図２に示す顎受け台１２の奥側（検者側）の縁を巻き込むようにして嵌合する形状を有している。さらに取付片２４もまた、載置面２１の端から延びるように形成されているとともに、顎受け台１２の前側（被検者側）の縁を巻き込むようにして嵌合する形状を有している。
このような構成を備える顎受け台カバー２０は、所定の肉厚にて折り曲げ可能な柔らかい材料を用いて射出成型にて製作され、その厚さは０．１ｍｍ〜数ｍｍ程度である。なお、用いる材料は、ポリカーボネート等の滅菌処理が可能な樹脂等を用いることができる。滅菌処理は、例えば煮沸処理やエタノール等によって行われる。
【０００９】
図４は、顎受け台１２に顎受け台カバー２０を取り付ける前と、取り付けた後を示した図である。図４（ａ）に示すように、顎台支基１０に設けられた顎受け台１２に、衛生度や清潔感の確保を目的として、顎受け台カバー２０が取り付けられる。
【００１０】
顎受け台１２に顎受け台カバー２０を取り付ける場合には、始めに顎受け台カバー２０の取付片２３を顎受け台１２の奥側（紙面向かって右側）に位置する縁１２ａに嵌合させる。次に、顎受け台カバー２０を顎受け台１２に対して、上から押し込むことにより、顎受け台カバー２０の前側に形成されている取付片２４が、顎載せ台１２の前側（紙面向かって左側）に位置する縁１２ｂに嵌合し、図４（ｂ）に示すように、顎受け台１２に顎受け台カバー２０がしっかりと取り付けられる。
【００１１】
顎受け台１２に取り付けられた顎受け台カバー２０の取付片２３及び２４の先端は、対する顎受け台１２の縁１２ａ，１２ｂを超えて巻き込むように内側に向けて延びた状態で嵌合していることにより、顎受け台カバー２０は、顎受け台１２から容易に外れることがない。
【００１２】
また、顎受け台カバー２０を顎受け台１２から外すときは、折り曲げ可能な成型材料の特性を生かして、取付片の一方を捲るようにすることにより、簡単に外すことができる。顎受けカバー２０の使用後は、顎受け台１２から使用済みの顎受けカバー２０を取り外した後、新しい顎受け台カバー２０を取り付けるようにする。使用した顎受け台カバー２０は滅菌処理した後、再度用いればよい。このように、簡単に顎受け台に着脱することができるともに、顎受け台と略同一形状を有しているため、使い勝手がよく被検者の顔の支持・固定を好適に行うことができる。
【００１３】
また、本実施形態では、顎受け台カバーの取付片を顎受け台の縁を超えて巻き込むようにして嵌合させることにより、簡単に外すことができないようにするものとしているが、これに限るものではなく、別部品を使用することなく顎受け台からカバーが簡単に外れないような構成を有していればよい。例えば、顎受け台に磁石を敷いておき、顎受け台底面に薄い金属板を取り付けたり、顎受け台カバー自体を変形可能な薄い金属板にて形成することにより、顎受けカバーを顎受け台から簡単に外れなくすることもできる。
【図面の簡単な説明】
【００１４】
【図１】本実施形態における眼科装置の外観を示した斜視図である。
【図２】本実施形態における眼科装置に設けられる顎台支基の外観を検者側から見たときの斜視図である。
【図３】本実施形態における顎受け台カバーの構成を示した図である。
【図４】顎受け台にカバーを取り付ける前と後とを示した側面断面図である。
【符号の説明】
【００１５】
１  装置本体
１０  顎台支基
１１  額当て
１２  顎受け台
２０  顎受け台カバー
２１  載置面
２２〜２４  取付片
【図１】
2006034858.tif 000003
【図２】
2006034858.tif 000004
【図３】
2006034858.tif 000005
【図４】
2006034858.tif 000006